(57)【要約】  【課題】  台金に対する特定の向きを有する特定のパターンが形成されたリベット台金複合品の生産性を高め、不良品の発生率を低めて歩留まりの向上を図り、リベット台金複合品の低価格化を可能にする。  【解決手段】 リベット台金複合品を、リベット部材として頭部６に特定パターンが形成されていないもの２を用意し、かしめ用金型２０として、リベット部材２の頭部６及び台金１０を受ける凹部２２、２４を有し、その凹部の頭部を受ける部分２４に台金１０に対して特定の向きを有する特定のパターンに対してネガのパターン２６を有するものを使用し、リベット部材２の足部４の台金１０へのかしめを行うという方法により、製造する。【選択図】  図２
2008023528.tif 000002
【特許請求の範囲】
【請求項１】
リベット部材の足部を台金のリベット挿通孔に通し、その足部のリベット挿通孔から突出した部分をかしめることにより上記台金に上記リベット部材を固定してなり、上記リベット部材の頭部の上面に、上記台金に対して特定の向きを有する特定のパターンが形成されたリベット台金複合品の製造方法であって、
上記リベット部材として頭部にパターンが形成されていないものを用意し、
かしめ用金型として、上記リベット部材の頭部及び上記台金を受ける凹部を有し、且つ、その凹部の頭部を受ける部分に上記台金に対して特定の向きを有する上記特定のパターンに対してネガのパターンを有するものを使用し、
上記リベット部材の上記足部の上記台金へのかしめを行うことにより、同時に上記かしめ用金型の上記凹部の上記ネガのパターンによりリベット部材の頭部上面に上記台金に対して特定の向きを有する特定のパターンを形成する
ことを特徴とするリベット台金複合品の製造方法。
【請求項２】
前記リベット部材として頭部の上部が下部よりも小さく、その下部との間に段が生じているものを用いる
ことを特徴とする請求項１記載のリベット台金複合品の製造方法。
【請求項３】
頭部の上面に、台金に対して特定の向きを有する特定のパターンが形成されたリベット台金複合部材の製造に用いられるリベット部材であって、
上記頭部にパターンが形成されていないことを特徴とするリベット部材。
【請求項４】
頭部の上部が下部よりも小さく、その下部との間に段が生じている
ことを特徴とする請求項３記載のリベット部材。
【請求項５】
リベット部材の足部を台金のリベット挿通孔に通し、その足部のリベット挿通孔から突出した部分をかしめることにより上記台金に上記リベット部材を固定してなり、上記リベット部材の頭部の上面に、上記台金に対して特定の向きを有する特定のパターンが形成されたリベット台金複合品の製造に用いるかしめ金型であって、
上記リベット部材の頭部及び上記台金を受ける凹部を有し、且つ、その凹部の頭部を受ける部分に上記台金に対して特定の向きを有する上記特定のパターンに対してネガのパターンを有する
ことを特徴とするかしめ金型。
【発明の詳細な説明】
【技術分野】
【０００１】
本発明は、リベット部材の足部を台金のリベット挿通孔に通し、その足部のリベット挿通孔から突出した部分をかしめることにより上記台金に上記リベット部材を固定してなり、このリベット部材の頭部の上面に、上記台金に対する特定の向きを有する特定のパターンが形成されたリベット台金複合品の製造方法と、その実施に用いるリベット部材と、その実施に用いるかしめ金型に関する。
【背景技術】
【０００２】
部品として、金属製のリベット部材の足部を台金のリベット挿通孔に通し、その足部のリベット挿通孔から突出した部分をかしめることにより上記台金に上記リベット部材を固定したリベット台金複合品がある（特開平１０−２２３０７６号公報参照）。
そして、そのリベット台金複合品には、リベットの頭部表面に特定のパターン、例えば図４［（Ａ）が平面図、（Ｂ）が（Ａ）のＢ−Ｂ線視断面図、（Ｃ）が斜視図］に示すように、凸起状の一字状パターン（クロスバー）を有するものがある。
【０００３】
図面において、ａは台金、ｂはこの台金ａに形成されたリベット挿通孔、ｃはこの台金ａに取り付けられるリベット部材、ｄはこのリベット部材ｃの頭部、ｅはリベット部材ｃの足部、ｆはリベット部材ｃの頭部ｄの上面に形成された突起からなるクロスバー（一字状の凸部）である。ｇはリベット部材ｃの上記リベット挿通孔ｂに通された足部ｅのこのリベット挿通孔ｂから突出しかしめられた部分である。
このようにクロスバーｆを形成するのは、例えば各種スイッチの接点として用いるものの場合、そのリベット頭部と、それに接触して電気的接続関係が形成される相手方との間に異物（ゴミ等）、その他の不純物が介在して電気的導通不良を回避する等のためである。
【０００４】
そして、そのパターンには、台金に対して特定の向きを有することが要求される場合が多い。例えば、図４に示す場合のように、クロスバーｆの向きと台金ａの長手方向の向きとが直交していることが要求される場合がある。また、図示はしないがクロスバーｆの向きと台金ａの向きとが同じであることが要求される場合もあり、更には、それ以外の要求がされる場合もある。どのような要求をするかは発注者の任意であり、受注者はその要求に正確に答えなければならない。
【０００５】
そして、従来において、受注者はその発注者の要求に次のように応えていた。
リベット部材として、頭部ｄの上面にクロスバーｆを形成したものｃを用意し、かしめにあたって、そのリベット部材ｃの足部ｅを台金ａのリベット挿通孔ｂに通すとき、リベット部材ｃの回転方向における向きを、注文に応じた向き（図４に示す例だと、クロスバーｆの向きが台金ａの長手方向と直交する向きになる向き）にし、その後、リベット部材ｃの頭部ｄ側のかしめ用金型と、足部ｅ側のかしめ用ポンチとによりかしめるというかしめ方法を採っていた。
【特許文献１】特開平１０−２２３０７６号公報
【発明の開示】
【発明が解決しようとする課題】
【０００６】
ところで、頭部ｄ上面にクロスバーｆ等のパターンを有するリベット部材ｃの足部ｅを、リベット部材ｃが特定の向きになるように台金ａのリベット挿通孔ｂに挿入してかしめるという従来の技術によれば、足部ｅを、リベット部材ｃが台金ａに対して特定の向きなるようにリベット挿通孔ｂに挿入するという作業が必要であり、面倒であり、作業性が悪く、生産性が低いという問題があった。また、向きに関する誤差が生じることも多かった。
【０００７】
また、セットした段階では誤差が少なかったが加圧によりかしめたときに向きにずれが生じてしまう可能性もあった。
向きの誤差が仕様による許容範囲を超えた場合には、当然に不良品となり、歩留まり低下を招く。これ等はリベット台金複合品の低価格化を阻む要因になっていた。
【０００８】
本発明は、このような問題を解決するためのもので、リベット部材の足部を台金のリベット挿通孔に通し、その足部のリベット挿通孔から突出した部分をかしめることにより上記台金に上記リベット部材を固定してなり、このリベット部材の頭部の上面に、上記台金に対する特定の向きを有する特定のパターンが形成されたリベット台金複合品の生産性を高め、不良品の発生率を低めて歩留まりの向上を図り、リベット台金複合品の低価格化を可能にすることのできる新規なリベット台金複合品の製造方法と、その製造に用いる新規なリベット部材と、新規なかしめ金型とを提供することを目的とする。
【課題を解決するための手段】
【０００９】
請求項１のリベット台金複合品は、リベット部材の足部を台金のリベット挿通孔に通し、その足部のリベット挿通孔から突出した部分をかしめることにより上記台金に上記リベット部材を固定してなり、このリベット部材の頭部の上面に、上記台金に対して特定の向きを有する特定のパターンが形成されたリベット台金複合品の製造方法であって、上記リベット部材として頭部にパターンが形成されていないものを用意し、かしめ用金型として、上記リベット部材の頭部及び上記台金を受ける凹部を有し、且つ、その凹部の頭部を受ける部分に上記台金に対して特定の向きを有する上記特定のパターンに対してネガのパターンを有するものを使用し、上記リベット部材の上記足部の上記台金へのかしめを行うことにより、同時に上記かしめ用金型の上記凹部の上記ネガのパターンによりリベット部材の頭部上面に上記台金に対して特定の向きを有する特定のパターンを形成することを特徴とするものである。
尚、上記特定のパターンは、クロスバーに限定されず、種々のものがあり得る。例えば十字状、各種記号、文字等もありうる。また、そのパターンが凸部からなる場合もあれば、凹部からなる場合もあり得る。
【００１０】
請求項２のリベット台金複合品は、請求項１記載のリベット台金複合品において、前記リベット部材として頭部の上部が下部よりも小さく、その下部との間に段が生じているものを用いることを特徴とする。
請求項３のリベット部材は、台金にかしめられたリベット頭部の上面に、上記台金に対して特定の向きを有する特定のパターンが形成されたリベット台金複合部材の製造に用いられるリベット部材であって、頭部にパターンが形成されていないことを特徴とする。
請求項４のリベット部材は、請求項３記載のリベット部材において、頭部の上部が下部よりも小さく、その下部との間に段が生じていることを特徴とする。
【００１１】
請求項５のかしめ金型は、リベット部材の足部を台金のリベット挿通孔に通し、その足部のリベット挿通孔から突出した部分をかしめることにより上記台金に上記リベット部材を固定してなり、このリベット部材の頭部の上面に、上記台金に対して特定の向きを有する特定のパターンが形成されたリベット台金複合品の製造に用いるかしめ金型であって、上記リベット部材の頭部及び上記台金を受ける凹部を有し、且つ、その凹部の頭部を受ける部分に上記台金に対して特定の向きを有する上記特定のパターンに対してネガのパターンを有することを特徴とする。
【発明の効果】
【００１２】
請求項１、２のリベット台金複合品の製造方法によれば、リベット部材として頭部にパターンが形成されていないものを用意し、かしめ用金型として、上記リベット部材の頭部及び上記台金を受ける凹部を有し、且つ、その凹部の頭部を受ける部分に上記台金に対して特定の向きを有する上記特定のパターンに対してネガのパターンを有するものを使用するので、上記リベット部材の上記足部の上記台金へのかしめを行うことにより、同時に上記かしめ用金型の上記凹部の上記ネガのパターンによりリベットの頭部上面に上記台金に対して特定の向きを有する特定のパターンを形成することができる。
従って、かしめに先立ってリベット部材の足部を台金のリベット挿通孔に挿入するときにリベット部材の台金に対する回転方向の向きを特定の向きにする必要が全くない。
依って、リベット台金複合品の生産性を高め、不良品の発生率を低めて歩留まりの向上を図り、リベット台金複合品の低価格化を図ることができる。
尚、請求項２のリベット台金複合品の製造方法によれば、リベットの頭部の段の上部をパターン形成用の領域にできる。
【００１３】
請求項３、４のリベット部材によれば、頭部にパターンが形成されていないので、請求項１、２によるリベット台金複合品の製造方法の実施に供することによりかしめの段階で頭部に台金に対する特定の向きを有するパターンを形成することができる。
特に、請求項４のリベット部材によれば、頭部の段の上部をパターン形成用の領域にできる。
請求項５のかしめ金型によれば、リベット部材の頭部及び台金を受ける凹部を有し、且つ、その凹部の頭部を受ける部分に上記台金に対して特定の向きを有する特定のパターンに対してネガのパターンを有するので、かしめにより、リベット部材の頭部上面に、かしめ金型のそのネガのパターンにて上記特定のパターンを形成することができる。
【発明を実施するための最良の形態】
【００１４】
本発明は、基本的に、リベット部材として頭部にパターンが形成されていないものを用意し、かしめ用金型として、上記リベット部材の頭部及び上記台金を受ける凹部を有し、且つ、その凹部の頭部を受ける部分に上記台金に対して特定の向きを有する上記特定のパターンに対してネガのパターンを有するものを使用し、上記リベット部材の上記足部の上記台金へのかしめを行うことにより、同時に上記かしめ用金型の上記凹部の上記ネガのパターンによりリベット部材の頭部上面に上記台金に対して特定の向きを有する特定のパターンを形成するものであるが、そのリベット部材の材料は金属、合金であれば、特に材料の限定はなく、また、リベット部材は多層構造を有するものであっても良い。
また、台金も金属、合金であれば特に限定はなく、例えばりん青銅等各種のものを用い得る。また、リベットの頭部上面のパターンは凸部からなる場合もあれば、凹部からなる場合もあり得る。
【実施例１】
【００１５】
以下、本発明を図示実施例に従って詳細に説明する。
図１（Ａ−１）、（Ａ−２）、（Ａ−３）、（Ｂ）、（Ｃ１）及び（Ｃ２）は本実施例に用いるリベット部材、台金及びかしめ金型を示すもので、（Ａ−１）がリベット部材の平面図、（Ａ−２）がリベット部材の側面図、（Ａ−３）がリベット部材の斜視図、（Ｂ）が台金の斜視図、（Ｃ−１）がかしめ金型の断面図、（Ｃ−２）がかしめ金型の斜視図である。
先ず、これらリベット部材、台金及びかしめ金型について説明する。
【００１６】
２は本実施例のリベット台金複合品に用いるリベット部材で、４はその足部、６はその頭部、６ａはその頭部６の上部を小径にすることによって形成されたパターン形成用の例えば円形の丘状部、６ｂは頭部６と円形の丘状部６ａとの間にある段部である。
本リベット部材２の特徴は、図４に示すようなリベット台金複合品の製造に用いる部材なのに、頭部６にクロスバー等特定のパターンが形成されていないことである。単に、パターンが形成される円形の丘状部６ａを有するに過ぎないのである。
１０は台金で、上記リベット部材２の足部４が挿入される足部挿入孔１２が形成される。この台金１０の厚さは上記リベット部材２の足部４の長さより適宜薄い。この台金１０には特に特徴といえるものはない。
【００１７】
２０はかしめ金型であり、表面にかしめに供される台金１０及びリベット部材２の頭部６、６ａを受ける凹部２２、２４を有する。凹部２２は台金１０のリベット部材かしめ側の端部を受ける凹部であり、凹部２４はリベット部材２の頭部６、６ａを受ける凹部である。
そして、この凹部２４は、リベット部材２の頭部６の段６ｂより下の部分を受ける凹部２６と、段６ｂより上のパター形成用の円形の丘状部６ａを受けてその形状を特定のパターンにするパターン形成用凹部２８からなる。このように、リベット部材２の頭部６、６ｂを受ける凹部２４に、そのようなパターン形成用凹部２８があることがこのかしめ金型の特徴である。
【００１８】
このパターン形成用凹部２８は、リベット部材２の頭部６の上面に形成すべきパターン（本例ではクロスバー）に対してネガのパターンを有しており、更に、そのパターンは台金１０を受ける凹部２２に対して所定の向き、即ち、その凹部２２に嵌って受けられる台金１０の長手方向に対して所定の向き、本実施例では形成すべきクロスバーのパターンが直角の向きになるように形成されている。
【００１９】
図２（Ａ）〜（Ｃ）は本実施例のリベット台金複合品を説明するためのものであり、（Ａ）はかしめ時の状態を示す断面図であり、（Ｂ）は出来上がったリベット台金複合品の完成品を示す斜視図、（Ｃ）はその完成品の断面図である。
図２（Ａ）を参照してこのリベット台金複合品を説明する。
凹部２４上に、頭部６、６ａを下向きにしたリベット部材２のその頭部６、６ａを置き、そのリベット部材２の上を向いた足部４にリベット挿通孔１２が嵌るように、水平の向きに台金１０をかしめ金型２０の凹部２２上に置く。予め、台金１０のリベット挿通孔１２にリベット部材２の足部を挿入した状態にしてからリベット部材２の頭部６、６ａを凹部２４上に、台金１０のリベット側の端部を凹部２２上に置くようにしても良い。
【００２０】
そして、その状態でポンチ３０で台金１０の裏面から突出しているリベット部材２の足部４に対して下向きのかしめ圧力を加える。
すると、図２（Ａ）に示すように、リベット部材２が台金１０にかしめられる。それと同時に、丘状部６ａがカシメ金型の凹部２６によりクロスバー６ｃに加圧成形される。
【００２１】
このようなリベット台金複合品によれば、リベット部材として頭部にパターンが形成されていないもの２を用意し、かしめ用金型として、上記リベット部材２の頭部６、６ａ及び上記台金１０を受ける凹部２４（２６、２８）及び２２を有し、且つ、その凹部の頭部を受ける部分２４に台金１０に対して特定の向きを有する上記特定のパターンに対してネガのパターンを有するものを使用するので、リベット部材２の上記足部４の上記台金１０へのかしめを行うことにより、同時にかしめ用金型２０の上記凹部２８の上記ネガのパターンによりリベット部材２の頭部６、６ａ上面に上記台金１０に対して特定の向きを有する特定のパターン、本例ではクロスバー６ｃを形成することができる。
【００２２】
図３（Ａ）〜（Ｃ）はリベット台金複合品の各々別の例を示す平面図で、（Ａ）に示すものは、リベット部材２の頭部のパターンが、台金１０の長手方向と平行な向きのクロスバー８ａである例、（Ｂ）は十字状のパターン８ｂが形成された例、（Ｃ）は×（バツ印）状のパターン８ｃが形成された例である。
このように、頭部６上面に形成するパターンには種々のものがありうる。
【産業上の利用可能性】
【００２３】
本発明は、リベット部材の足部を台金のリベット挿通孔に通し、その足部のリベット挿通孔から突出した部分をかしめることにより上記台金に上記リベット部材を固定してなり、上記リベット部材の頭部の上面に、上記台金に対する特定の向きを有する特定のパターンが形成されたリベット台金複合品の製造方法と、そのリベット台金複合品の製造に用いるリベット部材と、そのリベット台金複合品の製造に用いるかしめ金型に、広く産業上の利用可能性がある。
【図面の簡単な説明】
【００２４】
【図１】（Ａ−１）、（Ａ−２）、（Ａ−３）、（Ｂ）、（Ｃ１）及び（Ｃ２）は本発明の一つの実施例に用いるリベット部材、台金及びかしめ金型を示すもので、（Ａ−１）がリベット部材の平面図、（Ａ−２）がリベット部材の側面図、（Ａ−３）がリベット部材の斜視図、（Ｂ）が台金の斜視図、（Ｃ−１）がかしめ金型の断面図、（Ｃ−２）がかしめ金型の斜視図である。
【図２】（Ａ）〜（Ｃ）は本実施例のリベット台金複合品を説明するためのものであり、（Ａ）はかしめ時の状態を示す断面図であり、（Ｂ）は出来上がったリベット台金複合品の完成品を示す斜視図、（Ｃ）はその完成品の断面図である。
【図３】（Ａ）〜（Ｃ）はリベット台金複合品の各々別の例を示す平面図である。
【図４】（Ａ）〜（Ｃ）は背景技術を説明するために製造しようとするリベット台金複合品を示すもので、（Ａ）が平面図、（Ｂ）が（Ａ）のＢ−Ｂ線視断面図、（Ｃ）が斜視図である。
【符号の説明】
【００２５】
２・・・リベット部材、４・・・足部、６・・・頭部、６ａ・・・丘状部、
６ｂ・・・段、１０・・・台金、１２・・・リベット挿通孔、
２０・・・カシメ金型、２２・・・台金を受ける凹部、２４・・・頭部を受ける凹部、
２６・・・頭部の段より下の部分を受ける凹部、
２８・・・丘状部を受けてパターンを形成する凹部。
【図１】
2008023528.tif 000003
【図２】
2008023528.tif 000004
【図３】
2008023528.tif 000005
【図４】
2008023528.tif 000006